(57)【要約】【課題】本考案は、簡単な構造を具備して製造費用が節約できる電気コネクタを提供することを目的とする。【解決手段】本考案の電気コネクタは、絶縁性本体と、絶縁性本体に取り付けられる相手体と、相手体に挿入されて絶縁性本体に定位される複数の導電端子と、相手体に装着されて絶縁性本体に取り付けられるハウジングと、絶縁性本体に挿入される複数の固定部材とを備える。固定部材は、絶縁性本体に実装されてハウジングと絶縁性本体の間に固定される実装部と、絶縁性本体から外へ延出する固定部とを含む。これにより、固定部材を絶縁性本体に固定するための部材が製造する必要がなく、該電気コネクタの構造が簡単になり、製造費用が低減される。【選択図】図４
0003138297.tif 000002
【実用新案登録請求の範囲】
【請求項１】
絶縁性本体と、
絶縁性本体に取り付けられる相手体と、
相手体に挿入されて絶縁性本体に定位される複数の導電端子と、
相手体を装着して絶縁性本体に固着されるハウジングと、
絶縁性本体に挿入され、絶縁性本体に実装されてハウジングと絶縁性本体の間に固定される実装部と、絶縁性本体から外へ延出する固定部とを含む複数の固定部材と、
を備えることを特徴とする電気コネクタ。
【請求項２】
前記ハウジングには複数の係合片が設けられ、前記絶縁性本体には前記係合片と係合する係合溝が形成されることを特徴とする請求項１に記載の電気コネクタ。
【請求項３】
前記絶縁性本体には、天板と、該天板と対向する底板とを含み、天板と底板の前端には、ハウジングの係合片と係合する係合溝が形成される複数の突出部が設けられることを特徴とする請求項２に記載の電気コネクタ。
【請求項４】
前記相手体と絶縁性本体とには、それぞれ互いに係合して相手体が絶縁性本体に不正確に挿入されることを回避できる第１、第２係合部が設けられることを特徴とする請求項１に記載の電気コネクタ。
【請求項５】
前記第１係合部が、相手体の一側に形成される非対称な凹所であり、第２係合部が相手体の凹所と係合する非対称な係合部片であることを特徴とする請求項４に記載の電気コネクタ。
【請求項６】
前記第１係合部が、相手体の一側に形成される非対称な係合部片であり、第２係合部が相手体の係合部片と係合する非対称な凹所であることを特徴とする請求項４に記載の電気コネクタ。
【請求項７】
前記相手体は、基部と、基部から前向きに突出する相手部と、基部から後向きに延在する定位部とを有し、絶縁性本体には、相手体の基部を装入する開口部と、相手体の定位部を収納して開口部と貫通する収納孔とが形成されることを特徴とする請求項１に記載の電気コネクタ。
【請求項８】
前記ハウジングは、固定部材の実装部と当接する基板と、相手体の相手部を装着するシールド部とを有することを特徴とする請求項７に記載の電気コネクタ。
【請求項９】
前記固定部材には、実装部と固定部とを連接する本体部が設けられ、該本体部は実装部から後向きに延在した後折り曲げて実装部と平行に延在し、本体部には絶縁性本体と接触する突出部片が設けられ、固定部には一対の係合足が設けられることを特徴とする請求項８に記載の電気コネクタ。
【請求項１０】
前記絶縁体本体には、固定部材の実装部と係合する実装溝と、実装溝の後に形成されて実装溝と貫通して固定部材の本体部を収納する収納溝と、収納溝と貫通して固定部材の固定部と係合する貫通溝とが形成されることを特徴とする請求項９に記載の電気コネクタ。
【請求項１１】
前記固定部材の実装部には複数の凸状部片が設けられ、絶縁性本体には凸状部片と係合する定位溝が形成されることを特徴とする請求項１に記載の電気コネクタ。
【請求項１２】
前記固定部材の実装部には、貫通する実装孔が形成される延在部が設けられ、ハウジングには固定部材の実装孔に対応する貫通孔が形成されることを特徴とする請求項１に記載の電気コネクタ。
【考案の詳細な説明】
【技術分野】
【０００１】
本考案は、固定部材を具備する電気コネクタに関するものである。
【背景技術】
【０００２】
従来技術の電気コネクタとして、特許文献１に開示された電気コネクタが知られ、この電気コネクタは、絶縁性本体と、絶縁性本体に挿入される複数の導電端子と、絶縁性本体と係合する支持体と、ハウジングと、固定部材と、ピンと、を備える。電気コネクタは、固定部材と絶縁性本体と支持体及びハウジングが、ピンによって互いに連接される。
【特許文献１】中国実用新案第２３５１８８０Ｙ号明細書
【考案の開示】
【考案が解決しようとする課題】
【０００３】
特許文献１において、ピンを使用することによって、該電気コネクタの構造が複雑になる。同時に、ピンを製造するため、該電気コネクタを製造する費用が増加される。
【０００４】
そこで本考案の目的は、上述の従来技術の問題に鑑み、簡単な構造を具備して製造費用が節約できる電気コネクタを提供することにある。
【課題を解決するための手段】
【０００５】
本考案の電気コネクタは、絶縁性本体と、絶縁性本体に取り付けられる相手体と、相手体に挿入されて絶縁性本体に定位される複数の導電端子と、相手体を装着して絶縁性本体に固着されるハウジングと、絶縁性本体に挿入される複数の固定部材とを備える。固定部材は、絶縁性本体に実装されてハウジングと絶縁性本体の間に固定される実装部と、絶縁性本体から外へ延出する固定部とを含む。
【考案の効果】
【０００６】
従来の技術に比較して本考案は以下の効果を有する。本電気コネクタのハウジングが絶縁性本体に固着されることによって、絶縁性本体とハウジングの間に設置される実装部が絶縁性本体に固定できる。これにより、固定部材を絶縁性本体に固定するためのピンが製造する必要がない。該電気コネクタの構造が簡単になり、製造費用が低減される。
【考案を実施するための最良の形態】
【０００７】
以下、この考案の実施の形態を添付の図を参照して説明する。
【０００８】
図４〜図５を参照すると、該電気コネクタ１００は、相手体１と、複数の導電端子２と、絶縁性本体３と、ハウジング４と、一対の固定部材５とを備えている。
【０００９】
図４及び図５において、相手体１は、基部１１と、基部１１から前向きに突出する相手部１２と、基部１１の後部から後向きに突出する定位部１３と、相手部１２の前表面と定位部１３の後表面とを貫通する複数の端子溝１５とを備える。絶縁性本体１に面する側には、基部１１の一端から定位部１３まで延在する凹所１４が形成される。
【００１０】
各導電端子２は、接触部２１と、尾部２３と、接触部２１と尾部２３とを連接する連接部２２とを有する。
【００１１】
絶縁性本体３は、天壁３１１と、天壁３１１と対向する底壁３１２と、後壁３１６と、一対の側壁３１５と、該一対の側壁３１５の間に設けられる一対の阻隔壁３１３、３１４と、天壁３１１と底壁３１２と後壁３１６と一対の阻隔壁３１３、３１４から形成される収納孔３１と、側壁３１５と対応する阻隔壁３１３、３１４の間に形成される一対の収納溝３５とを備える。阻隔壁３１４には、収納孔３１に向かって突出する係合部片３１４１が設けられる。絶縁性本体１の前端には、前記収納孔３１と貫通する開口部３２が形成される。天壁３１１と底壁３１２の前端には、前向きに突出する複数の突出部３４が設けられる。突出部３４の前端には、定位溝３６が形成される。天壁３１１に設けられる突出部３４の頂端と底壁３１２に設けられる突出部３４の底端とには、係合溝３４２が形成される。二つの対向する突出部３４の間には、前記収納溝３５と貫通する実装溝３９が形成される。後壁３１６には、前記収納孔３１と貫通する複数の端子孔３７と、前記収納溝３５と貫通する一対の貫通溝３８とが形成される。
【００１２】
ハウジング４は、基板４１と、基板４１の中央から前向きに突出するシールド部４２と、基板４１の両側に形成される一対の貫通孔４１３と、基板４１の上辺と下辺から延在する複数の係合片４１５とを含む。
【００１３】
各固定部材５は、略矩形の実装部５１と、一対の係合足５３１が設けられる固定部５３と、実装部５１と固定部５３とを連接する略Ｌ字状の本体部５２とを備える。該本体部５２が実装部５１から後向きに延在した後折り曲げて実装部５１と平行に延在する。各実装部５１上辺と下辺には、一対の凸状部片５１２が設けられる。実装部５１の中央には、後向きに突出する延在部５１４が設けられる。延在部５１４には、実装部５１を貫通する実装孔５１６が形成される。本体部５２には細長い突出部片５２３が設けられる。
【００１４】
図１乃至図５に示すように、該電気コネクタ１００を組み立てる時、先ず、導電端子２の接触部２１は相手体１の端子溝１５に収納される。相手体１と導電端子２とは絶縁性本体３に取り付けられる。相手体１は、基部１１が絶縁性本体３の開口部３２に嵌め込まれ、定位部１３が収納孔３１に収納され、凹所１４が阻隔壁３１４の係合部片３１４１と係合する。導電端子２の尾部２３は、絶縁性本体３の端子孔３７から外へ延出する。凹所１４が阻隔壁３１４の係合部片３１４１と係合することによって、相手体１が絶縁性本体３に不正確に取り付けられることを回避できる。他の実施例では、係合部片３１４１が他の阻隔壁３１３に設けられるとともに、凹所１４が相手体１の他側に設けられてもよい。或いは、係合部片３１４１が相手体１に設けられるとともに、凹所１４が絶縁性本体３に形成されてもよい。
【００１５】
次に、固定部材５が、絶縁性本体３の前端から後向きに収納溝３５に挿入される。固定部材５の凸状部片５１２が絶縁性本体１の定位溝３６に嵌め込まれ、本体部５２が収納溝３５に収納され、突出部片５２３が収納溝３５の内表面に接触し、係合足５３１が後壁３１６の貫通溝３８から外へ延在する。固定部材５は、突出部片５２３によって収納溝３５に固定される。最後に、ハウジング４が、相手部１２に装着される。ハウジング４は、基板４１が固定部材５の実装部５１と当接し、係合片４１５が絶縁性本体３の係合溝３４２に係合し、貫通孔４１３が実装孔５１６に対応する。ハウジング４が固定部材５の実装部５１と当接し、絶縁性本体３の係合溝３４２と係合することによって、実装部５１がハウジング４と絶縁性本体３の間に固定され、固定部材５が絶縁性本体３にしっかりと固定される。これにより、固定部材５を絶縁性本体３に固定するピンを製造する必要がない。
【００１６】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１７】
【図１】本考案の電気コネクタの組み合わせの斜視図である。
【図２】図１に示すハウジングが取り付けない時の電気コネクタの部分の組み合わせの斜視図である。
【図３】図２に示す電気コネクタの他の部分の組み合わせの斜視図である。
【図４】図１に示す電気コネクタの分解斜視図である。
【図５】図１に示す電気コネクタの他の分解斜視図である。
【符号の説明】
【００１８】
１  相手体
１１  基部
１２  相手部
１３  定位部
１４  凹所
１５  端子溝
２  導電端子
２１  接触部
２２  連接部
２３  尾部
３  絶縁性本体
３１  収納孔
３１１  天壁
３１２  底壁
３１３、３１４  阻隔壁
３１４１  係合部片
３１５  側壁
３１６  後壁
３２  開口部
３４  突出部
３４２  係合溝
３５  収納溝
３６  定位溝
３７  端子孔
３８  貫通溝
３９  実装溝
４  ハウジング
４１  基板
４１３  貫通孔
４１５  係合片
４２  シールド部
５  固定部材
５１  実装部
５１２  凸状部片
５１４  延在部
５１６  実装孔
５２  本体部
５２３  突出部片
５３  固定部
５３１  係合足
【図１】
0003138297.tif 000003
【図２】
0003138297.tif 000004
【図３】
0003138297.tif 000005
【図４】
0003138297.tif 000006
【図５】
0003138297.tif 000007